(57)【要約】      （修正有）【課題】屋根下地材の上に防水の目的で敷かれるルーフィングは、薄く柔らかい素材のため、瓦・スレート等の上葺き作業中や台風等の強風による破損・剥がれ飛びで雨漏りの原因となる。防水を完全なものにするための下地処理方法と施工法を提供する。【解決手段】屋根下地８上に新たに防水目的専用のルーフィング７を敷き込み、破損検査を実施した後、ルーフィング保護材６を重ねて固定する。更にその上に従来と同様の作業目的用のルーフィング５を敷き、この上に瓦、スレート等の上葺き４施工を行う。なお、防水目的用のルーフィングに破損が発見された場合には、部分補修は行わず、全面葺き直しを行うものとする。【選択図】図２
2005282336.tif 000002
【特許請求の範囲】
【請求項１】
屋根下地板に防水材（ルーフィング）を敷き込み、その上にルーフィングの保護材を重ね
屋根下地板と保護材で防水材（ルーフィング）をサンドイッチ構造にして独立した防水構造とする施工法。
【請求項２】
ルーフィング保護材の上に作業用にルーフィング敷き込み、瓦やスレートなどの上葺きを重ねて屋根施工法。
【請求項３】
防水材（ルーフィング）やルーフィングの保護材は、木・紙・金属・セメント・化学合成品などの材料での施工法。
【請求項４】
防水材（ルーフィング）とルーフィングの保護材をあらかじめ組み合わせての防水構造を一体化した部材での施工法。
以上のように構成された屋根施工法である。
【発明の詳細な説明】
【技術分野】
【０００１】  木造建築における屋根施工法で、防水材で下葺と呼ばれるルーフィングが、雨漏りを防止して屋根本体や柱・土台など建物全体に及んで木材を雨から守る重要な役割に使われています。従来の一般的な施工法に新たにルーフィングとルーフィング保護材を組み込んだ構造にして、施工中・施工後のルーフィングの破損による雨漏りの直接原因を無くして、屋根の耐久性を飛躍的に向上させる施工法です。
【背景技術】
【０００２】  台風など大雨のときに雨漏りが多くみられます。屋根に登って調べても瓦の割れやズレが見当たらない場合、原因不明と判断されます。
しかし、特に最上階の屋根の雨漏りの場合は、屋根の構造だけが原因していて、瓦を外して丁寧に調べると、黒い紙やビニール製のシート状の防水材（ルーフィング）の破損や亀裂を必ず発見できます。屋根の施工中に防水目的のルーフィング材が傷つき、破損した部分の修理ミスや不完全な修理、また長年使用したルーフィング材の劣化や部分修理の耐久性不足が雨漏りの原因です。
この厚さ１ミリ程もないルーフィングに施行方法や破損などの欠陥が無ければ、絶対に、これが絶対と言って良いほど雨漏りはしないという重要な事が意外に知られていません。
人間は雨が降ると傘をさして雨よけをします。薄い布やビニール１枚で雨水を傘の外側に誘導しています。ルーフィング材は屋根用の傘で、全く同じ働きをしています。防水加工した紙やビニールで厚さも同じくらいで薄く柔らかい材質です。しかもたった１枚だけというのが一般的です。それも人が使う雨傘とよく似ています。しかし雨傘は、強風の時は飛ばされる恐れがありますし、天気続きだからといって干し続けますと、生地やビニールの傷みが早く傘の寿命が短くなりますので、家の中で保管します。しかし、屋根用の傘、ルーフィングは、人間用の雨傘と同じように強風や日照などの自然条件に弱く劣化し易く晴れた日でもしまい込むわけにもいきません。雨傘のように保管できないという点をカバーするために、瓦やスレートなどの上葺きが重ねられています。
つまり瓦やスレートなどの上葺きは、ルーフィング材を保護するためであり雨漏りを防いでいる訳では無いという事が広く知られていません。
屋根工事をする専門家ですら、瓦やスレートで雨漏りを防ぐものだと思いこんでいるくらいですから、なかなか改善や改良されないままになっていました。
瓦と瓦の重ね目には必ず隙間があり、その隙間から入った雨水が、どこで処理されているのか、あまり注目されていません。
防水部分（ルーフィング）は屋根が出来上がってしまうと、隠れて見えなくなってしまう為、検査もされず、重要さもあまり認識されていません。そんな理由から屋根工事中、安易にそして粗雑に扱われているのが実状です。
そのため、屋根工事中あるいは強風などの自然条件による原因で、破損されたルーフィング材は、耐久性や安全性に問題があるのを知りつつ、部分修理にとどめられたり修理すらされないケースも見られ、雨漏りの原因となってしまっていました。
完成直後の屋根の雨漏りは、ほとんどがルーフィングの欠陥が原因です。全面葺き直しが最も良い解決方法です。しかし仮に原因が解ったとしても、施工者の経済的損失は大きい為に、あらためて全面葺き直しをせず原因不明と処理され、何度小修理しても雨漏りが直らず、気にはなっても諦めてしまうこともあります。又は年に何回も無い事だからと妥協して、そのまま放置してしまうケースも日常的に行われているのが現状です。
【発明の開示】
【発明が解決しようとする課題】
【０００３】  従来は屋根下地の板を張り終わり防水目的のルーフィング材が敷き込まれますと、ルーフィング材の上が作業場・材料置場・道具置場・作業用道路など、瓦やスレート施工の作業目的に利用されます。そのため資材や道具の運搬中の落下・重量物の運搬歩行や道具の取扱いミスなどで、ルーフィングの破損は避けられませんでした。その破損が原因で雨漏りとなり屋根下地板を腐らせ屋根の寿命を短くする結果となります。又、室内の天井・壁・床・土台に及ぶと莫大な経済的な損失を招く結果となります。そこで破損からルーフィングを保護する新しい構造を考え出すことが必要となりました。
ルーフィングを破損させた場合の耐久性能や安全性について、しっかりとした部分修理の材料など対処方法が確立していません。破損部分のみの部分修理だけというのが一般的な修理方法です。その理由は、瓦やスレート施工のための作業場・材料置場・道具置場・作業用道路などに利用されている最中にルーフィングの破損が起こるからです。最も安全で信頼性のあるのは、ルーフィングの全面葺き直しをする方法です。しかし、すでに瓦やスレートの完成した部分や、材料・道具類をいったん取り除いて、ルーフィングの葺き直しをするには労力と費用がかかります。この段階では防水検査など無意味とされてきました。それに、同じ施工法の構造でやり直しした場合、一度のやり直しで済すむとは限りません、完成間近という場合だってあります。それこそ施工者の経済的な損失は、莫大となります。そこでまず、ルーフィングの破損を防ぐ構造にする必要があります。そして破損が発生した場合、簡単で経済的にルーフィングの全面葺き直しをして、従来のような部分修理を必要としない、全く新しい考え方の構造にすることが必要です。
瓦やスレートなどの施工中に、台風などの強風による自然条件が原因でルーフィングの破損や、剥がれ飛びで雨漏りしてしまったという場合もよくあるケースです。
生活しながらの屋根改修工事の場合などでは、雨漏りがひどいと、天井・壁・床と建物全体に被害が及ぶ事もあります。さらに衣類・家具・寝具にも被害が及ぶと、生活ができない状態に陥り、精神的にも経済的にも損失は甚大です。
このように、台風など強風によるルーフィングの破損や剥がれ飛びの問題も解決する必要があります。
【発明を解決するための手段】
【０００４】  屋根下地→ルーフィング→瓦やスレートなどの上葺き、というのが従来の構造による屋根の施工手順です。
新しい施工方法は、この構造にルーフィングとルーフィング保護材を新たに組み込みます。
施工手順は屋根下地→新たに組み込んだルーフィング→ルーフィング保護材→従来の構造のルーフィング→瓦やスレートなどの上葺きという新しい構造となります。
屋根下地施工後、新たに組み込むためのルーフィングを敷き込み、破損検査をします。
破損がない場合、ルーフィングの破損防止のためルーフィング保護材を敷き込みます。
また、パネルからの釘の飛び出しや破片による破損が認められた場合、部分修理ではなく、ルーフィングの全面葺き直しをしてからルーフィング保護材を敷き込みます。
この施工段階で新たに組み込まれたルーフィングは防水目的、従来のルーフィングは作業目的にと独立した明確な目的で分離された構造となります。
厚みや重量のあるルーフィング保護材に固定部品で固定され、防水目的のルーフィングは、むき出し状態でない構造にすることで、雨漏りの被害がなくなります。
【発明の効果】
【０００５】  屋根下地の後に防水専用のルーフィングが施工されますと、すぐ従来の構造では検査など考えられなかった破損検査をします。検査が終わらないと次の行程に進めません。検査システムの導入が定着した結果、雨漏りを防ぐために防水の大切さと、防水目的の為に施工されるルーフィングの重要性が、はっきり理解されるという施工者の意識改革をもたらしました。
施工意識の変化から、さらにルーフィング保護材の後に施工される作業目的用のルーフィングの取り扱いが丁寧になった為、作業目的用ルーフィング自体の破損が極端に少なくなり、そのぶん防水目的用のルーフィング使用が減り、より耐久性が増すという効果が出ました。
ルーフィングの防水目的専用と作業目的専用という、利用目的が明確に分離された事から、屋根施工の全行程からしますと行程の初期段階で防水目的のルーフィングの全面葺き直しが、容易な構造の為、部分修理をする必要が無くなりました。その結果、部分修理ミスや修理部分の耐久性不足が原因の雨漏りが無くなるという効果をもたらしました。
防水専用ルーフィングが屋根下地材とルーフィング保護材とのサンドイッチ構造に施工されますと、厚みや重量・取付部品などで固定され、台風などの強風による破損や剥がれ飛びがなくなり、雨漏りによる被害もなくなりました。また、そのサンドイッチ構造は、直接外気に触れる従来のルーフィングのむき出し構造ではありませんので、温度や乾湿の影響が少なく、伸縮や乾燥による劣化が極端に少なくなります。従って、ルーフィングの耐久性が増し防水性能の寿命が飛躍的に延びたという効果を生みました。
今までに無い全く新しい施工法は、防水専用のルーフィングと保護材を従来の手順に組み込むという施工法ですので、従来の施工法に慣れている人でも違和感も無く、新しい施工法が受け入れられ、施工手順の間違えもありませんでした。ルーフィングの破損による雨漏りの心配が無いという安心感と破損部分の部分修理の必要もありませんので、瓦やスレートの上葺き作業の能率が格段に向上したという効果が認められました。
また、全く新しい施工法で雨漏りを防ぎ、屋根下地板を弱らせたり腐る事もなくなり、屋根の寿命を極端に延ばす結果となりました。又、雨漏りで室内の天井・壁・床・土台に及ぶ大きな経済的損失を避けることが出きる効果をもたらしました。そして断熱材をルーフィング保護材に使いますと省エネルギーにもつながるという経済効果も期待できます。
【実施するための最良の形態】
【０００６】  組み終わった屋根の骨組みに、畳１枚程のサイズの板を取り付けます。これが屋根下地と呼ばれる行程です。傾斜のついたフラットな面となり歩行可能な状態になります。
次の行程の防水材（ルーフィング）を敷き込みます。雨の時、人間は身体が濡れないように雨傘をかぶりますが、建物も屋根下地にルーフィングという傘をかぶせます。
屋根用の傘（ルーフィング）の検査をし、１カ所でも穴や破れを発見した場合は新しい傘を用意します。この時、穴や破れ部分だけ修理するというツギハギは、年数が経つと剥がれてしまい、耐久性に問題があるので、ルーフィングの全面葺き直しをします。
この段階で、建物内部の雨漏りは全くしなくなります。この状態を維持するために断熱パネル材などのルーフィング保護材を取り付けます。つまりルーフィングを屋根下地板とルーフィング保護材で挟むかたち、いわゆるサンドイッチ構造になります。熱や乾燥に弱いルーフィングを外気に直接さらす部分を少なくし、劣化を極端に遅らせる事で、防水性能の寿命を飛躍的に伸ばすためです。またルーフィング保護材の固定で台風などの強風でルーフィングが破れたり、剥がれ飛んで雨漏りしてしまったということが無くなります。
この取り付けが終わると、瓦やスレートなどの屋根工事のために、もう一度ルーフィングを敷き込みます。今度は防水の目的ではなく、屋根施工という傾斜部分での滑り止めとして、瓦やスレートなど上葺きの作業場となり、また材料・道具置き場・資材運搬用の通路になります。水に弱い木や紙素材のルーフィング保護材を使う場合に、腐食防止としても利用されます。最後に瓦やスレートなどが施工され、屋根工事の完成となります。
【図面の簡単な説明】
【０００７】
【図１】従来の屋根施工法の斜視図である。
【図２】本案の防水構造を組み込んだ斜視図である。
【符号の説明】
【０００８】  １  屋根下地板
２  ルーフィング
３  上葺き
４  屋根下地板
５  ルーフィング（防水目的用）
６  ルーフィング保護材
７  ルーフィング（作業目的用）
８  上葺き
【図１】
2005282336.tif 000003
【図２】
2005282336.tif 000004